(57)【要約】【課題】収納スペ−スが間口方向にほぼいっぱいに開口可能で、内部収納物が一覧でき、生活スタイルに合わせて使い勝手の良い複数個のユニット空間の創出が可能で、収納機能も好み似合わせて選択でき、スペ−スに合わせて奥行き、間口寸法の調節が可能で、しかも、施工性が良く安価な収納部材システムを提供する。【解決手段】建物内部の収納スペ−スを部材で自在に仕切る収納部材システムであって、前記収納スペ−ス内部の奥側の壁面に設けられる受け桟と、サイド側の壁面に設けられる側板と、前記受け桟と側板に載置され、収納スペ−スを上部の天袋スペ−スと下部の本体スペ−スに上下に分割する略水平部材と、略水平部材下面から床面まで略垂直に設けられ、下部の本体スペ−スを分割する略垂直部材で構成されており、前記、略水平部材と略垂直部材によって前記収納スペ−スが複数個のユニット空間に仕切られるようにした。【選択図】        図１
2004183323.tif 000002
【特許請求の範囲】
【請求項１】
建物内部の収納スペ−スを部材で自在に仕切る収納部材システムであって、前記収納スペ−ス内部の奥側の壁面に設けられる受け桟と、サイド側の壁面に設けられる側板と、前記受け桟と側板に載置され、収納スペ−スを上部の天袋スペ−スと下部の本体スペ−スに上下に分割する略水平部材と、略水平部材下面から床面まで略垂直に設けられ、下部の本体スペ−スを分割する略垂直部材で構成されており、前記、略水平部材と略垂直部材によって前記収納スペ−スが複数個のユニット空間に仕切られることを特徴とする収納部材システム。
【請求項２】
前記天袋スペ−スが間口方向で単一のユット空間であり、前記収納スペ−スの前面に、間口方向ほぼいっぱいに開口可能な戸板が設けられていることを特徴とする請求項１に記載の収納部材システム。
【請求項３】
前記、略水平部材下面に前記、略垂直部材を取り付けるためのジョイント部が略水平部材の下面に少なくとも１カ所以上設けられていることを特徴とする請求項１又は２に記載の収納部材システム。
【請求項４】
前記、略水平部材及び略垂直部材は密実なる基材構成を備え、収納スペ−スの大きさに合わせて適宜切断可能な構成であることを特徴とする請求項１〜３のいずれかに記載の収納部材システム。
【請求項５】
前記収納スペ−ス内部に、引き出しユニット、棚板ユニット、パイプユニット、寝具台ユニットの全て又は少なくとも１つを備え、前記ユニット空間内に取り付けて構成されていることを特徴とする請求項１〜４のいずれかに記載の収納部材システム。
【発明の詳細な説明】
【０００１】
【発明の属する技術分野】
本発明は、建物の収納スペ−ス内部の収納部材システムに関する。
【０００２】
【従来の技術】
従来から、建物の収納用の空間として置き家具があったが、個々の置き家具それぞれで高さが違っていて、天井面との間で無駄なスペ−スができたり、見た目にもバラバラで統一感がなく、しかも、家具を複数本横に並べてみると、間口寸法が部屋の壁面の間口寸法と必ずしも一致せず、サイド側の壁面との間で隙間が発生し、天井面との間のみならず、サイドの壁面との間においてもスペ−スの無駄が生じることが多かった。こういった隙間は無駄であるばかりでなく、見た目にも見苦しいものであった。
【０００３】
それに代わって、例えば、図３にその一例を示すように、左右の壁から壁まで天井から床まで、収納空間として無駄なく利用でき、見た目にも統一と調和のとれた壁面収納ユニットが、使い勝手が良く見栄えがする等の理由で好んで使われるようになった。例えば、側板パネルに設けた係合用スロットとフック金具によって、天板、棚板、ベ−ス板、開き扉等を取り付けて構成される組立式収納壁が開示されている。（特許文献１参照）。
【０００４】
また、工夫して側板、底板、背板を省いて簡略化した収納家具などが用いられることもあった。例えば、壁面に取り付けた壁面取り付け桟に天板後部を支持し、フックを用いて仕切部材を壁面取り付け桟に取り付けて収納家具を構成したものが開示されている。（特許文献２参照）。
【０００５】
【特許文献１】
特開平３−２３６８０６号公報（第１−６頁、第１７−１９図）
【特許文献２】
特開２００１−１１２５５１号公報（第２−４頁、第１−２図）
【０００６】
【発明が解決しようとする課題】
住宅の収納空間に用いる収納部材システムとして、特開平３−２３６８０６号公報に開示されている収納システムでは、開き扉を用いているので、収納スペ−スが間口いっぱいに全開口できず、天袋スペ−スに長さの大きな荷物を収納することができない。また、天袋スペ−スが間口いっぱいの単一の空間でなく幅方向に複数個に分断されているので、天袋スペ−スに長さの大きな荷物を収納することができない。
【０００７】
また、収納スペ−スが間口いっぱいに全開口しないので、内部収納スペ−スの収納物を一目で一覧できず、捜し物をする時、いちいち全ての開き扉を開けなくてはいけない。また、収納スペ−スを上下左右に自在に仕切るということができず、ユ−ザ−の生活のライフスタイルに合わせた収納スペ−スの活用が困難である。また、天板、ベ−ス、側板、開き扉、背面板などによって箱体に組み立てていく構成になっているので各部材点数が多く、組立施工に手間がかかり、製品コストも多大にかかっていた。
【０００８】
また、特開２００１−１１２５５１号公報に開示されているものは収納システムでなく収納家具であり、壁面に壁面取り付け桟を取り付け、壁面取り付け桟に仕切部材を取り付け、その上に天板を載置し、仕切部材間に引き出し等の収納体を挿脱自在に取り付けたものである。しかしながら、特開２００１−１１２５５１号公報に開示のものは、仕切部材の取り付け位置が自由にならず、ユ−ザ−が使い勝手を考えて仕切位置を自由に選択することが不可能である。また、設置スペ−スによって間口寸法、奥行き寸法の変更ができない。
【０００９】
本発明の目的は、収納スペ−スが間口いっぱいに全開口可能で、内部収納物が一目で一覧でき、ユ−ザ−のライフスタイルに合わせて使い勝手の良い寸法の複数個の収納空間ユニットの創出が可能で、付与する収納機能もユ−ザ−の好みで種々選択でき、収納スペ−スの大きさに合わせて奥行き寸法、間口寸法の調節が可能で、しかも施工性が良く安価な収納部材システムを提供することにある。
【００１０】
【課題を解決するための手段】
上記目的を達成するために本発明に係る請求項１に記載の発明は、建物内部の収納スペ−スを部材で自在に仕切る収納部材システムであって、前記収納スペ−ス内部の奥側の壁面に設けられる受け桟と、サイド側の壁面に設けられる側板と、前記受け桟と側板に載置され、収納スペ−スを上部の天袋スペ−スと下部の本体スペ−スに上下に分割する略水平部材と、略水平部材下面から床面まで略垂直に設けられ、下部の本体スペ−スを分割する略垂直部材で構成されており、前記、略水平部材と略垂直部材によって前記収納スペ−スが複数個のユニット空間に仕切られることを特徴とする。
【００１１】
係る構成から、収納スペ−スの内部空間を略水平部材と略垂直部材とで自由に仕切ることが可能となり、ユ−ザ−にとってオリジナルで使い勝手の良い複数個のユニット空間を作ることが可能となる。また、収納スペ−スの天井面、サイド側の左右の壁面、床面、奥側の壁面などの躯体を最大限生かして、内部仕切部材の種類と数を最小限に押さえた構成となっているので、部材点数が少なく製品コストも安価で、組立手間が掛からず施工費も安価につくので大変経済的である。
【００１２】
請求項２に記載の発明は、請求項１に記載の収納部材システムにおいて、前記天袋スペ−スが間口方向で単一のユット空間であり、前記収納スペ−スの前面に、間口方向ほぼいっぱいに開口可能な戸板が設けられていることを特徴とする。
【００１３】
係る構成から、戸板が間口方向にほぼいっぱいに開口可能なので、前記収納スペ−スが間口方向にほぼいっぱいに開口が可能で、捜し物をする時、収納スペ−ス内部が一覧でき、ユ−ザ−にとって大変使い勝手の良いものとなる。また、天袋スペ−スが間に縦仕切のない間口方向で単一のユニット空間なので、天袋スペ−スにおいても間口方向いっぱいに長物を収納するスペ−スとして最適であり、戸板が間口方向にほぼいっぱいに開口するので、収納した長物も出し入れし易い。
【００１４】
請求項３に記載の発明は、請求項１又は２に記載の収納部材システムにおいて、前記、略水平部材下面に前記、略垂直部材を取り付けるためのジョイント部が略水平部材の下面に少なくとも１カ所以上設けられていることを特徴とする。
【００１５】
係る構成から、略水平部材下面に取り付ける略垂直部材の取り付け位置が１カ所に固定されていないので、略垂直部材によって仕切る位置が自由に選択可能であり、略垂直部材によって内部収納スペ−スを自在に仕切ることが可能となる。従って、ユ−ザ−の生活スタイルに合わせて自分好みの収納スペ−スを作り上げることができる。
【００１６】
請求項４に記載の発明は、請求項１〜３のいずれかに記載の収納部材システムにおいて、前記、略水平部材及び略垂直部材は密実なる基材構成を備え、収納スペ−スの大きさに合わせて適宜切断可能な構成であることを特徴とする。
【００１７】
係る構成から、前記、略水平部材は密実なる基材構成を備えているので、収納スペ−スの間口寸法に合わせて略水平部材の片方又は両端部を切断し、その長さ寸法を収納スペ−スの間口寸法に合わせて調整することが可能となる。
【００１８】
一方、略垂直部材においても密実なる基材構成を備えているので、収納スペ−スの奥行き寸法に合わせて略垂直部材の幅寸法を適宜切断することができ、前記、略水平部材の幅寸法も切断可能であるので、収納スペ−スの奥行き寸法に合わせて調整することが可能となる。
【００１９】
このように、収納スペ−スの間口寸法と奥行き寸法に合わせて略水平部材と略垂直部材を適宜切断することができるので、施工現場で設置する収納スペ−スの大きさが、さまざま異なっていても、それにぴったりとフィットした収納スペ−スを作ることができる。
【００２０】
請求項５に記載の発明は、請求項１〜４のいずれかに記載の収納部材システムにおいて、前記収納スペ−ス内部に、引き出しユニット、棚板ユニット、パイプユニット、寝具台ユニットの全て又は少なくとも１つを備え、前記ユニット空間内に取り付けて構成されていることを特徴とする。
【００２１】
係る構成から、ユ−ザ−の生活スタイルに合わせて必要な機能を有するユニット空間を使い勝手の良い位置に配置レイアウトすることが可能で、自分好みのオリジナル収納スペ−スづくりが可能となる。
【００２２】
【発明の実施の形態】
以下、本発明の実施の形態の一例を説明する。図１は本発明に係る収納部材システムの実施の形態の一例を示す斜視図、図２は本発明の収納部材システムのレイアウト例で、創出されたユニット空間と該ユニット空間内に各種機能ユニットを配置した代表例を示す。
【００２３】
図１、図２において、１は戸板、２は略水平部材、３は略垂直部材、４は受け桟、５は側板を示す。また、Ｐはパイプユニット、Ｈは引き出しユニット、Ｓは寝具ユニット、Ｔは棚板ユニット、Ｕはユニット空間、ＴＳは天袋スペ−ス、ＨＳは本体スペ−ス、Ｊはジョイント部を示す。
【００２４】
本発明の収納部材システムは、戸板１、略水平部材２、略垂直部材３、受け桟４、側板５等の各種部材と、パイプユニットＰ、棚板ユニットＴ、引き出しユニットＨ、寝具ユニットＳ等の各種機能ユニットの組み合わせによって構成されるものである。
【００２５】
先ず、住宅等、建物の内部の空間を居室部分と収納スペ−ス部分の２つに区分するための戸板（本例では折り畳み扉）１を用意する。戸板１は従来から使用されている開き扉、クロ−ゼット用の折り畳み扉等で収納スペ−スの間口方向で、ほぼいっぱいに開口するものが望ましい。クロ−ゼット用の折り畳み扉の場合は、扉の吊元が固定されていないタイプ、すなわち、吊りもとフリ−のタイプがより望ましい。理由は、吊りもとフリ−のタイプであると、扉が左右の吊りもとに固定されないで、従って、左右の扉全てを右又は左の方へ、又は中央部へ寄せてしまうことが可能となり、扉の蔭に隠れるデッドスペ−スが解消して、収納物の出し入れがよりいっそう便利になる。
【００２６】
戸板１以外の略水平部材２、略垂直部材３、受け桟４、側板５等の各種部材は板状部材からなり、木材用の鋸で施工現場で簡単に切断可能な木質製又は合成樹脂製の板状物が望ましい。但し、その基材構成はフラッシュ構造等の中空構造でなく、切断しても切断面に中空部が発生しない密実なる基材構成であることが望ましい。例えば、木質製の例では、基材として、ＭＤＦ、パ−ティクルボ−ド、ＯＳＢ、合板、木材ムク等の材料を用いて、その両面又は片面に塩化ビニルシ−ト、化粧シ−ト、突板、その他の化粧材などで化粧仕上げしたものや、前記各種材料の表面を塗装仕上げしたもの等が挙げられる。また合成樹脂製の例では、塩化ビニル樹脂中に微細木粉を適当量混入させた人工木材、その他、硬質のウレタン樹脂発泡体などの合成樹脂ムク体等が挙げられる。密実なる基材構成と適度な強度を有し、施工現場で木材用の鋸で切断可能な材料であれば、これら以外であってもよい。
【００２７】
略水平部材２の寸法として、厚みは１間スパンで十分な曲げ強度を有する程度であればよい。長さ（収納スペ−スの間口寸法）は０．５間（約９００ｍｍ）、０．７５間（約１３５０ｍｍ）、１間（約１８００ｍｍ）、１．５間（約２７００ｍｍ）、２間（約３６００ｍｍ）の５種類程度あればよい。幅寸法（収納スペ−スの奥行き寸法）は通常、日本の住宅では２尺（約６００ｍｍ）又は３尺（約９００ｍｍ）であるので、それに見合った寸法とする。
【００２８】
略垂直部材３の寸法は、前記、略水平部材２が収納スペ−スの床面から６尺（約１８００ｍｍ）の高さ位置を基準として取り付けされるので、長さ寸法（収納スペ−スの高さ寸法）で６尺（約１８００ｍｍ）程度あればよい。また、幅寸法は略水平部材２と同様にして２尺（約６００ｍｍ）又は３尺（約９００ｍｍ）とする。
【００２９】
受け桟４は細長い棒状体とする。その長さは略水平部材２に見合った長さでも良いし、短尺材を適当な間隔で設けたものであっても良い。略水平部材２を受けるだけの強度があれば良い。棚板ユニットＴ、引き出しユニットＨ、寝具ユニットＳ等の各種機能ユニットは従来からの使い勝手のよい寸法に適宜設計したものを用いればよい。
【００３０】
本発明の収納部材システムを建物の内部の収納スペ−スに取り付ける方法を以下簡単に述べる。
１．収納スペ−ス設置個所の壁下地をあらかじめ間柱、胴縁等で補強する。
２．側板５、略垂直部材３を取付ける壁面、略垂直部材３を取付ける床面に墨出しを行う。
３．戸板１を取り付ける箇所の床面と天井面の位置を墨出しする。次に必要に応じて、天井面と床面に戸板用の上下レ−ル等を取り付ける。
４．側板５を所定の壁面に木ネジ等を用いて取り付け固定する。
５．収納スペ−スの間口寸法に合わせて略水平部材２、パイプユニットＰ、受け桟４などを切断する。
６．取り付け固定済みの側板５に略水平部材２を載置し、側板５に取り付けてあるコネクタ−等のジョイント金具等（図示せず）を介して、木ネジ等で略水平部材２と側板５を接続固定する。
７．略水平部材２の下面に設けたジョイント部Ｊを介して略垂直部材３を略水平部材下面に接続固定する。この時、できあがった収納スペ−スの使い勝手を考えて、略垂直部材３を取り付ける間口方向の位置、並びに取り付ける略垂直部材の数を適宜選定する。
８．略水平部材２が奥側の壁面に接する箇所の略水平部材下面に当接させて受け桟４を壁面に木ネジ等で取り付け固定する。このようにしてユ−ザ−好みの複数個のユニット空間Ｕが創出される。
９．上記のようにして創出された各ユニット空間Ｕに、棚板ユニットＴ、引き出しユニットＨ、寝具ユニットＳ、パイプユニットＰ等の各種機能ユニットを配置レイアウトする。この時、引き出しユニットＨ、寝具ユニットＳは組立完成品をあらかじめ用意しておいても良いし、また、ノックダウン方式であっても良い。
１０．戸板１をセットして本発明の収納部材システムの取り付け施工が完成する。
【００３１】
略水平部材２と側板５の接続は、略水平部材２の両端部を適宜寸法に切断しても接続可能な構造としておくことが望ましい。例えば、略水平部材の両端部にダボ穴を設け、側板５の上端木口に突出させた木ダボで接合する構造では、略水平部材２の両端部を切断すると、せっかく設けておいたダボ穴が消失してしまうので接続不可となる。そこで、例えば、Ｌ字型金具等を接続箇所の角部に当接させて木ネジ等で固定するという方法や、市販のコネクタ−を側板５の上端部に取り付けておいて、コネクタ−側から略水平部材２へ向けて斜め方向へ木ネジ等をねじ込んで固定する方法が望ましい。これらの接続方法においては、略水平部材２の接続箇所に何等の加工は不要であり、基材構成が密実であれば接続可能である。すなわち、略水平部材２の両端部を適宜切断しても両端部には接続のためのジョイント加工がもともと施されていないので何等の支障もないのである。
【００３２】
略水平部材２の両端部を除く中程の下面には、略垂直部材３を接続するためのジョイント部Ｊが略水平部材２の下面に設けられている。この時、ジョイント部Ｊは、略水平部材２の間口方向に１カ所以上、より望ましくは複数箇所設けておくことがよい。このようにすることで、略水平部材２の下面に取り付ける略垂直部材３の取り付け位置が１カ所に固定されることがなく、略垂直部材３によって内部収納スペ−スを自在に仕切ることが可能となる。従って、ユ−ザ−の生活スタイルに合わせて自分好みの収納スペ−スを作り上げることができる。
【００３３】
接続方法は一例として、略水平部材２の下面にダボ穴を設けておいて、一方、略垂直部材３の上端部木口面に木ダボを突出させておいても良い。また、市販の緊結金具等を略水平部材２の下面と略垂直部材３の上端部の対応位置にあらかじめ取り付けておくことでも良い。略水平部材２の間口方向に１カ所以上、より望ましくは複数箇所設けておくことがよい。
【００３４】
【発明の効果】
以上のように、本発明の収納部材システムによれば、建物内部の収納スペ−スが住む人の生活スタイルや好みに合わせて、使い勝手の良い複数個のユニット空間に分割でき、そこに付与する収納機能も住む人の好みで自由に選択可能である。しかも収納スペ−スと居室空間とを区分する戸板に間口方向にほぼいっぱいに開口可能な開戸又は折り畳み扉を用いると、内部の収納物が一覧でき、捜し物をする時に便利で、しかも、天袋スペ−スを間口方向で単一のユット空間とすると、天袋スペ−スが間口いっぱいに開口するので、長物収納にも大変便利である。さらに収納スペ−スの実際の大きさに合わせて、各部材の奥行き寸法、間口寸法を切断して調整することが可能で、しかも、収納スペ−スの天井面、壁面、床面などの躯体を最大限活用する収納部材システムなので、部材点数を最小限にすることが可能で、従って、施工性が良く安価な収納部材システムとなる。
【図面の簡単な説明】
【図１】本発明に係る収納部材システムの実施の形態の一例を示す斜視図。
【図２】本発明の収納部材システムのレイアウト例。
【図３】従来の収納システム。
【符号の説明】
１      戸板
２      略水平部材
３      略垂直部材
４      受け桟
５      側板
Ｕ      ユニット空間
ＴＳ    天袋スペ−ス
ＨＳ    本体スペ−ス
Ｊ      ジョイント部
Ｐ      パイプユニット
Ｔ      棚板ユニット
Ｈ      引き出しユニット
Ｓ      寝具ユニット
１１    天袋
１２    ロッカ−
１３    整理タンス
１４    洋服タンス
１５    整理棚
【図１】
2004183323.tif 000003
【図２】
2004183323.tif 000004
【図３】
2004183323.tif 000005